(57)【要約】【目的】飲料注出口に対する注出口開閉扉の取り付け及び取り外しを容易に行うことが可能であり、もって製造コストの低減を図ることができる飲料ディスペンサを提供する。【構成】扉本体３に固定された支持フレーム１０、１１下部の軸受溝３２に軸ピン２３の上部２３Ａを挿嵌し、且つ、各注出口開閉扉６に固定された扉フレーム１３Ａ、１３Ｂ上部の軸受溝３２に軸ピン２３の下部２３Ｂを挿嵌して各注出口開閉扉６の上側を回動可能に支持するように構成する。【選択図】  図６
2004295174.tif 000002
【特許請求の範囲】
【請求項１】
ディスペンサ本体の前面にて開閉可能に支持された本体扉と、
前記本体扉に形成された飲料注出口と、
前記飲料注出口の側部にて回動可能に支持された注出口開閉扉とを備えた飲料ディスペンサにおいて、
前記注出口開閉扉の側部に配設されるとともに、端部に回動軸としての第１係合部が形成された扉フレーム部材と、
前記飲料注出口の上側で前記本体扉に配設され、前記扉フレーム部材の上下方向に対応して配置されるとともに端部に前記第１係合部と対応する第２係合部が形成された支持フレーム部材を含み、本体扉の前面でパネル部材を支持するパネル支持部材とを備え、
前記注出口開閉扉は、前記扉フレーム部材における第１係合部と前記支持フレーム部材における第２係合部とが係合することにより、回動可能に支持されることを特徴とする飲料ディスペンサ。
【請求項２】
前記扉フレーム部材は第１係合部としての軸受溝を、前記支持フレーム部材は第２係合部としての軸受溝をそれぞれ備え、
前記注出口開閉扉は、前記扉フレーム部材における軸受溝の上部と前記支持フレーム部材における軸受溝の下部とのそれぞれにピン部材の下側部分及び上側部分を挿嵌することにより、回動可能に支持されることを特徴とする請求項１に記載の飲料ディスペンサ。
【請求項３】
前記扉フレーム部材に形成された挿通溝と、
前記挿通溝に挿通されるとともに複数個のネジ孔が形成され、少なくとも１つのネジ孔の周囲に膨出部が形成されたネジ板と、
前記扉フレーム部材に形成され、前記膨出部を位置決めするとともに前記注出口開閉扉の裏面側より前記ネジ孔に螺着される固定ネジの先端を逃がす位置決め逃がし孔が形成された弾性片とを備えたことを特徴とする請求項１に記載の飲料ディスペンサ。
【請求項４】
前記支持フレーム部材に形成された挿通溝と、
前記挿通溝に挿通されるとともに複数個のネジ孔が形成され、少なくとも１つのネジ孔の周囲に膨出部が形成されたネジ板と、
前記支持フレーム部材に形成され、前記膨出部を位置決めするとともに前記本体扉の裏面側より前記ネジ孔に螺着される固定ネジの先端を逃がす位置決め逃がし孔が形成された弾性片とを備えたことを特徴とする請求項１に記載の飲料ディスペンサ。
【発明の詳細な説明】
【０００１】
【発明の属する技術分野】
本発明は、ディスペンサ本体前面に形成された飲料注出口を開閉する注出口開閉扉及びディスプレイパネル等を有する飲料ディスペンサに関し、特に飲料注出口に対する注出口開閉扉の取り付け及び取り外しを容易に行うことが可能であるとともに、注出口開閉扉の上側における取り付け構造の簡素化を図ることにより、製造コストの削減を可能とする飲料ディスペンサに関するものである。
【０００２】
【従来の技術】
従来より、ディスペンサ等の飲料注出装置においては、本体前面の本体扉に注出口及びディスプレイパネルが形成され、かかる注出口を開閉するための注出口開閉扉が備え付けられているのが一般的である。
ここで、注出口を開閉する注出口開閉扉の取り付け方法としては、
（１）蝶番を用いて注出口開閉扉と注出口枠の側部に蝶番の両辺をそれぞれネジ止めすることにより扉を開閉可能に取り付ける方法、
（２）特開平８−２５６９１４号公報に示されているように、開口部に設けた２つの通孔に、矩形状に形成された扉に配設されて上下に延出する垂直な支持軸の端部を挿通することにより、扉を正面パネルに対して前後方向に水平回動可能に取り付ける方法、
（３）図９に示すように、注出口枠１０２に形成された注出口１０１を画成する上側縁部及び下側縁部のそれぞれに通孔１０３を形成するとともに、開閉扉１０４にて各通孔１０３に対応する位置に貫通孔１０５を形成し、各通孔１０３と貫通孔１０５に回転軸１０６を挿通させて、回転軸１０６の両端を固定ピン１０７で固定することにより開閉扉１０４を前後方向に水平回動可能に取り付けられる方法、
等がある。
【０００３】
【特許文献１】
特開平８−２５６９１４号公報（第３頁、第４図）
【０００４】
【発明が解決しようとする課題】
しかしながら、従来のディスペンサの注出口における注出口開閉扉の取り付け方法の内、蝶番を使用して注出口開閉扉を取り付ける方法では、注出口内部の清掃、メンテナンス等を行うべく注出口開閉扉を本体から取り外す際に、注出口開閉扉と注出口の側部にネジ止めされているネジを完全に外す必要があり、また、注出口内部の清掃、メンテナンス等が終了した後に注出口開閉扉を取り付けるには、注出口開閉扉と注出口の側部にネジをネジ止めする必要がある。
また、特開平８−２５６９１４号公報に記載された扉の取り付け方法では、開口部の内部における清掃、メンテナンス等を行うべく扉を取り外す際に、扉の支持軸をその弾性等を利用して開口部の各通孔から外す必要があり、また、開口部内部の清掃、メンテナンス等が終了した後に扉を取り付けるには、扉の支持軸をその弾性部材を利用して各通孔に支持させる必要がある。
更に、図９に示す開閉扉１０４の取り付け方法では、注出口１０１の内部の清掃、メンテナンス等を行うべく開閉扉１０４を取り外す際に、回転扉１０６の両端から固定ピン１０７を外すとともに、回転軸１０６を各通孔１０３、貫通孔１０５から引き抜く必要があり、また、注出口１０１内部の清掃、メンテナンス等が終了した後に開閉扉１０４を取り付けるためには、回転軸１０６の両端に固定ピン１０７を取り付ける必要がある。
前記したように、従来におけるいずれの取り付け方法においても、注出口を開閉する扉の取り付け作業、及び、取り外し作業は、極めて煩雑なものであり、従って、飲料ディスペンサにおける注出口内部の清掃、メンテナンス等を容易に行うことができない問題がある。
本発明は、前記従来における問題点を解消するためになされたものであり、本体扉に設けられた飲料注出口を開閉する注出口開閉扉の上側を回動可能に支持するについて、注出口開閉扉に配設された扉フレーム部材上部における第１係合部とパネル部材を支持するパネル支持部材に含まれる支持フレーム部材下部における第２係合部とを、それぞれ係合することで注出口開閉扉を回動可能に構成したので、極めて簡単な構成により注出口開閉扉を回動可能に支持することができるとともに、注出口開閉扉の支持において他の取り付け部材を必要とせず、これより製造コストの低減を図ることができ、また、装置の見栄えもよくなる飲料ディスペンサを提供することを目的とする。
【０００５】
【課題を解決するための手段】
前記目的を達成するため請求項１に係る飲料ディスペンサは、ディスペンサ本体の前面にて開閉可能に支持された本体扉と、前記本体扉に形成された飲料注出口と、前記飲料注出口の側部にて回動可能に支持された注出口開閉扉とを備えた飲料ディスペンサにおいて、前記注出口開閉扉の側部に配設されるとともに、端部に回動軸としての第１係合部が形成された扉フレーム部材と、前記飲料注出口の上側で前記本体扉に配設され、前記扉フレーム部材の上下方向に対応して配置されるとともに端部に前記第１係合部と対応する第２係合部が形成された支持フレーム部材を含み、本体扉の前面でパネル部材を支持するパネル支持部材とを備え、前記注出口開閉扉は、前記扉フレーム部材における第１係合部と前記支持フレーム部材における第２係合部とが係合することにより、回動可能に支持されることを特徴とする。
【０００６】
また、請求項２に係る飲料ディスペンサは、請求項１に記載の飲料ディスペンサにおいて、前記扉フレーム部材は第１係合部としての軸受溝を、前記支持フレーム部材は第２係合部としての軸受溝をそれぞれ備え、前記注出口開閉扉は、前記扉フレーム部材における軸受溝の上部と前記支持フレーム部材における軸受溝の下部とのそれぞれにピン部材の下側部分及び上側部分を挿嵌することにより、回動可能に支持されることを特徴とする。
【０００７】
また、請求項３に係る飲料ディスペンサは、請求項１に記載の飲料ディスペンサにおいて、前記扉フレーム部材に形成された挿通溝と、前記挿通溝に挿通されるとともに複数個のネジ孔が形成され、少なくとも１つのネジ孔の周囲に膨出部が形成されたネジ板と、前記扉フレーム部材に形成され、前記膨出部を位置決めするとともに前記注出口開閉扉の裏面側より前記ネジ孔に螺着される固定ネジの先端を逃がす位置決め逃がし孔が形成された弾性片とを備えたことを特徴とする。
【０００８】
更に、請求項４に係る飲料ディスペンサは、請求項１に記載の飲料ディスペンサにおいて、前記支持フレーム部材に形成された挿通溝と、前記挿通溝に挿通されるとともに複数個のネジ孔が形成され、少なくとも１つのネジ孔の周囲に膨出部が形成されたネジ板と、前記支持フレーム部材に形成され、前記膨出部を位置決めするとともに前記本体扉の裏面側より前記ネジ孔に螺着される固定ネジの先端を逃がす位置決め逃がし孔が形成された弾性片とを備えたことを特徴とする。
【０００９】
【発明の実施の形態】
以下、本発明に係る飲料ディスペンサを電解水ディスペンサについて具現化した実施形態について図１に基づいて詳細に説明する。図１は電解水ディスペンサの全体構造を表わした斜視図である。先ず、本実施形態に係る電解水ディスペンサの全体構造について図１に基づいて説明する。
【００１０】
図１に示すように、電解水ディスペンサ１は、基本的に、本体２とその前面部で開閉可能に支持された本体扉３により構成されている。本体扉３の上部にはディスプレイパネル４が配置されている。かかるディスプレイパネル４の下側には、注出ボタン等が配置されたスイッチパネル９が取り付けられており、このスイッチパネル９は、後述するように、ディスプレイパネル４の下端部を支持する。本体扉３において、スイッチパネル９の下側には、飲料注出口５が形成されており（図６参照）、また、飲料注出口５の左右両側部には、飲料注出口５の開閉を行う一対の注出口開閉扉６が回動可能に支持されている。各注出口開閉扉６には、開閉時に把持されるハンドル７が取り付けられている。尚、各注出口開閉扉６は、所謂、観音開きの構成を有しており、その支持構造については後述する。また、本体扉３において、飲料注出口５の下部から前方に突出するようにステージ８が形成されており、かかるステージ８には飲料の注出時にコップ、ペットボトル等の注出容器が載置される。
前記ディスプレイパネル４において、その下端部はスイッチパネル９により支持され、その左右両側部は本体扉３に固定された支持フレーム１０、１１により支持され、その上端部は支持フレーム１２により支持され、また、その上端部の両隅部は２つのコーナ支持フレーム１４、１５により支持されている。
また、各注出口開閉扉６の内、左側の開閉扉６の左側縁部には、支持フレーム１１の上下方向に対応して扉フレーム１３Ａが固定されており、また、右側の開閉扉６の右側縁部には、支持フレーム１０の上下方向に対応して扉フレーム１３Ｂが固定されている。各扉フレーム１３Ａ、１３Ｂは、後述するように、それぞれ支持フレーム１１、１０と協働して、各開閉扉６を回動可能に支持する作用を行う。
【００１１】
ここで、本実施例に係る電解水ディスペンサ１において、ディスプレイパネル４を支持するにつき使用される各支持フレーム１０乃至１２、コーナ支持フレーム１４、１５、及び、支持フレーム１１、１０と協働して各注出口開閉扉６を回動可能に支持する各扉フレーム１３Ａ、１３Ｂの構造、及びネジ孔を有し各フレームに差し込むことにより各フレームを装置に固定する役目をもつネジ板１６乃至２０の構造について図２乃至図５に基づいて説明する。
各支持フレーム１０乃至１２、コーナ支持フレーム１４、１５、扉フレーム１３Ａ、１３Ｂ、及びネジ板１６乃至２０は基本的に同一の内部断面構造を有しており、図２はフレーム及びネジ板の全体構成を示す斜視図、図３はフレームの断面図、図４はネジ板の側面図、図５はフレーム固定時におけるフレーム及びネジ板の断面図である。尚、各フレーム及び各ネジ板は、基本的に同一の内部断面構造を有しているので、図２乃至図５においては、支持フレーム１０、ネジ板１６を例にとって説明することとする。
【００１２】
図２、図３に示すように、支持フレーム１０は、ＡＢＳ樹脂、塩化ビニル樹脂、アクリル樹脂、ポリエチル樹脂、ポリカーボネート樹脂等から一体に形成されており、本体扉３に固定される平板状の固定壁１０Ａ、固定壁１０Ａから直角に上方へ連続する側壁１０Ｂ、側壁１０Ｂから傾斜状態で連続する傾斜壁１０Ｃ、傾斜壁１０Ｃから水平に連続し固定壁１０Ａと平行な上壁１０Ｄ、上壁１０Ｄから直角に下方に連続する側壁１０Ｅ、側壁１０Ｅの下端から水平に延出されるとともに下方に垂下された角状壁１０Ｆ、及び、角状壁１０Ｆの下端から水平に延出された固定壁１０Ｇを有する。
また、上壁１０Ｄの内壁面における略中央位置からは、垂下部１０Ｈ、垂下部１０Ｈの下端に連続する湾曲部１０Ｉ及び湾曲部１０Ｉから水平に延出された平板部１０Ｊからなり、断面側面視で略「Ｌ」字状の弾性壁１０Ｋが形成されている。平板部１０Ｊには、ネジ逃がし穴３３（図２では３個）が形成されている。更に、傾斜壁１０Ｃと上壁１０Ｄとの連結部からは、垂下部１０Ｌが形成されており、かかる垂下部１０Ｌと弾性壁１０Ｋとで囲まれる領域は、後述する軸ピン２３、差し込みピン３７が嵌挿される軸受部３２を構成している。
また、各固定壁１０Ａ、１０Ｇと弾性壁１０Ｋの平板部１０Ｊとの間に形成される間隙は、後述するネジ板１６等を差し込むためのネジ板差し込み溝３１となる。
更に、角状壁１０Ｆの外側に形成される角状の凹部は、後述するように、本体扉３の前面との間で、ディスプレイパネル４の各端縁部（左端縁部、右端縁部、上端縁部）を挿嵌するディスプレイパネル支持部３４を構成する。
尚、固定壁１０Ａの左端と固定端１０Ｇの右側との間には、支持フレーム１０を本体扉３に固定する際にネジ（後述する）を挿通するネジ挿通孔１０Ｍが形成されている。
【００１３】
また、図２、図４に示すように、ネジ板１６には、金属製の平面板にネジ止めのためのネジ加工を施したネジ孔１６Ａが形成されており（図２では３個）、その複数のネジ孔１６Ａのうち両端に位置するネジ孔１６Ａのどちらか一方は、打ち出ししてネジ加工されることによって膨出した打ち出し部１６Ｂを有する。支持フレーム１０にネジ板１６を差し込む際には、打ち出しされていない側からネジ板１６をネジ板差し込み溝３１に挿入し、最後は打ち出し部１６Ｂがネジ逃がし穴３３にはまり込むことで固定される（図５参照）。ここに、ネジ逃がし穴３３を設けた弾性壁１０Ｋは弾性を有しているので、挿入時に打ち出し部１６Ｂが弾性壁１０Ｋを垂下部１０Ｌに向かって弾性的に変形させ、打ち出し部１６Ｂがネジ逃がし穴３３の位置にきた際に弾性により元に戻り、打ち出し部１６Ｂがネジ逃がし穴３３にはまって位置決め固定される。尚、打ち出しを行うネジ孔１６Ａは両端側のどちらか１箇所であり、支持フレーム１０に差し込む側からみて、終端側のネジ孔１６Ａとすることより弾性壁１０Ｋの変形動作が一回で済み、支持フレーム１０への差し込みが容易となる。
前記したように、支持フレーム１０のネジ板差し込み溝３１に差し込んだ際に、ネジ板１６のネジ孔１６Ａの周辺に形成した打ち出し部１６Ｂをネジ逃がし穴３３に嵌合させるようにしたので、ネジ板１６が支持フレーム１０のネジ板差し込み溝３１内で位置決め固定され、これよりネジ板１６が支持フレーム１０から抜け落ちてしまうことを確実に防止することができる。更に、ネジ板１６に設けられたネジ孔１６Ａと支持フレーム１０に設けられたネジ逃がし穴３３のずれがなくなり、支持フレーム１０の本体扉３への取り付けが容易となる。
【００１４】
次に、図６及び図７に基づいてディスプレイパネル４と注出口開閉扉６の取り付け構造について説明する。図６は本体扉に対するディスプレイパネル及び注出口開閉扉の取り付け構造を模式的に分解して示す説明図、図７は本体扉３の全体構成を表わす背面図である。
先ず、ディスプレイパネルの取り付け構造について説明する。図６において、スイッチパネル９は飲料注出口５の上部にて本体扉３に固着されている。かかるスイッチパネル９の上部背面側には、ディスプレイパネル４の下端縁部を支持する切欠凹部９Ａが設けられている。また、支持フレーム１０は、そのネジ板差し込み溝３１にネジ板１６を差し込んだ状態で、本体扉３の背面から固定ネジ（図示せず）をネジ板１６のネジ孔１６Ａにネジ着することにより、スイッチパネル９の右側端に沿って固定されている。更に、支持フレーム１１は、同様に、そのネジ板差し込み溝３１にネジ板１７を差し込んだ状態で、本体扉の背面から固定ネジ（図示せず）をネジ板１７のネジ孔１７Ａにネジ着することにより、スイッチパネル９の左端縁に沿って固定されている。
尚、ディスプレイパネル４は、前記のようにスイッチパネル９、支持フレーム１０及び１１を本体扉３に固定した状態で、各支持フレーム１０、１１の上方からディスプレイ支持部３４に沿って下方に挿通されるとともに、その下端縁部がスイッチパネル９の切欠凹部９Ａにて支持される。この状態で、ディスプレイパネル４は、本体扉３の前面で支持される。
【００１５】
支持フレーム１２は、そのネジ板差し込み溝３１にネジ板１８を差し込むとともに、そのディスプレイパネル支持部３４を前記のように本体扉３の前面で支持されたディスプレイパネル４の上端縁部に当接させた状態で、本体扉３の背面から固定ネジ（図示せず）をネジ板１８のネジ孔１８Ａにネジ着することにより、本体扉３の前面に固定される。
【００１６】
また、コーナ支持フレーム１４は、そのディスプレイパネル支持部３４をディスプレイパネル４の右上隅部に当接させた状態で、その両端面に形成されたピン部材１４Ａをそれぞれ支持フレーム１０上部の軸受溝３２及び支持フレーム１２右部の軸受溝３２に挿嵌することにより、各支持フレーム１０、１２に連結される。同様に、コーナ支持フレーム１５は、そのディスプレイパネル支持部３４をディスプレイパネル４の左上隅部に当接させた状態で、その両端面に形成されたピン部材１５Ａをそれぞれ支持フレーム１１上部の軸受溝３２及び支持フレーム１２左部の軸受溝３２に挿嵌することにより、各支持フレーム１１、１２に連結される。
【００１７】
ここに、コーナ支持フレーム１４は、一方のピン部材１４Ａを支持フレーム１０上部の軸受溝３２に挿嵌し、他方のピン部材１４Ａを支持フレーム１２右部の軸受溝３２に挿嵌することにより各支持フレーム１０、１２と連結され、また、コーナ支持フレーム１５は、一方のピン部材１５Ａを支持フレーム１１上部の軸受溝３２に挿嵌し、他方のピン部材１５Ａを支持フレーム１２左部の軸受溝３２に挿嵌することにより各支持フレーム１１、１２と連結されるので、ネジ等の締結部材を必要とすることなく固定することができる。
【００１８】
ディスプレイパネル４の交換等を行う場合には、前記した取り付け構造から明らかなように、先ず、支持フレーム１２の固定ネジを本体扉３から外すとともに、支持フレーム１２の両端部における軸受溝３２から各コーナ支持フレーム１４、１５のピン部材１４Ａ、１５Ａを外した後、支持フレーム１２を本体扉３から取り外す。次に、各コーナ支持フレーム１４、１５のピン部材１４Ａ、１５Ａを支持フレーム１０、１１の軸受溝３２から外す。そして、ディスプレイパネル４を各支持フレーム１０、１１のディスプレイ支持部３４に沿って上方へ引き上げれば、ディスプレイパネル４を取り外すことができる。この後、新たなディスプレイパネル４を前記した手順と同様の手順で本体扉３の前面に支持させれば、ディスプレイパネル４を交換することができる。
このとき、支持フレーム１２を本体扉３に固定するについて、固定ネジを使用することなく、ドライバ等を使用することなくネジ締結及びリリースが可能な蝶ネジを使用すれば、ディスプレイパネル４の交換をより容易に行うことができる。
【００１９】
次に、注出口開閉扉６の取り付け構造について説明する。尚、右側の注出口開閉扉６と左側の注出口開閉扉６は、共に同一の取り付け支持構造を有しているので、ここでは右側の注出口開閉扉６の取り付け支持構造を例にとって説明することとし、左側の注出口開閉扉６の取り付け支持構造の説明については省略する。
【００２０】
図６において、右側の注出口開閉扉６では、扉フレーム１３Ｂのネジ板差し込み溝３１にネジ板１９を差し込むとともに、ネジ板１９に形成された各ネジ孔１９Ａ、注出口開閉扉６の右端部に形成された各ネジ孔２２Ａ、押え板２１の各ネジ孔２１Ａを相互に合致させた状態で、固定ネジ２０が注出口開閉扉６の背面から締結されている。これにより、扉フレーム１３Ｂは、注出口開閉扉６に固定される。
また、左側の注出口開閉扉６においても、前記の場合と同様にして、扉フレーム１３Ａが注出口開閉扉６に固定されている。ここでは、その説明を省略する。
尚、各注出口開閉扉６は、上下を逆にすることにより共通であり、左右いずれにおいても使用することができる。
【００２１】
続いて、各注出口開閉扉６を回動可能に支持する支持構造について説明する。先ず、右側の開閉扉６において、扉フレーム１３Ｂ上部の軸受溝３２と支持フレーム１０下部の軸受溝３２との間には、軸ピン２３が介挿されている。かかる軸ピン２３の上部２３Ａは、支持フレーム１０の軸受溝３２に挿嵌されており、また、軸ピン２３の下部２３Ｂは扉フレーム１３の軸受溝３２に挿嵌されている。これにより、右側の注出口開閉扉６の上部は、軸ピン２３が支持フレーム１０、扉フレーム１３の各軸受溝３２に挿嵌されることに基づき、回動可能に支持される。
【００２２】
このとき、軸ピン２３の上部２３Ａの軸径は、前記したように支持フレーム１０にて垂下部１０Ｌと弾性壁１０Ｋとで囲まれる領域で構成される軸受溝３２のサイズ（寸法）よりも若干大きく形成されている。また、軸ピン２３の下部２３Ｂの軸径は、上部２３Ａの軸径よりも小さく形成されている。
これにより、後述するように、扉フレーム１３の軸受溝３２と軸ピン２３の下部２３Ｂとを離間させて注出口開閉扉６を取り外した際においても、軸ピン２３は支持フレーム１０側に残存することとなる。従って、軸ピン２３が支持フレーム１０から抜け落ちてしまうことを確実に防止することができる。
【００２３】
また、図７に示すように、ステージ８の内部に設けられた支持板２５には、上方へ向かって突出した支持ピン３７を備えた支持部材２６が固定されており、支持ピン３７は、ステージ８の上板８Ａに形成された挿通孔２４を介して上板８Ａよりも上方へ突出されている。このように突出された支持ピン３７は、右側の注出口開閉扉６における扉フレーム１３の軸受溝３２に挿嵌される。
かかる構成に基づき、右側の注出口開閉扉６の下部は、支持ピン３７が扉フレーム１３の軸受溝３２に挿嵌されることより、回動可能に支持される。
【００２４】
ここで、注出口開閉扉６の下側を支持する支持部材２６について図８に基づいて説明する。図８は支持部材２６の全体構成を示す斜視図である。
図８において、支持部材２６は、基本的に、断面視で「コ」字状に形成された枠板３６及び枠板３６の内側に固着されたピン部材３５から構成されている。枠板３６には、２つの長孔３９、３９が形成されており、また、ピン部材３５は、枠板３６の内側に固着される基部３５Ａ、基部３５Ａよりも小径に形成された中間部３５Ｂ、及び、中間部３５Ｂよりも小径に形成された支持ピン３７から構成されている。中間部３５Ｂの軸径と支持ピン３７の軸径との差に基づき、中間部３５Ｂと支持ピン３７との境界には受座面３８が形成される。
【００２５】
前記のように構成された支持部材２６は、図６及び図７に示すように、本体扉３の裏面側でステージ８内部の支持板２５に対して、枠板３６の各長孔３９を介してネジ２５Ａを締結することにより取り付けられる。
ここで、支持部材２６は本体扉３裏側でステージ８内部の支持板２５に取り付けられ、支持部材２６は外側から見えなくなることから、装置全体の見栄えがよくなる。
【００２６】
そして、枠板３６に形成された長孔３９が支持部材２６を固定するネジ穴として使用されることで、ネジ２５Ａを完全に締結したときには支持部材２６が支持板２５に完全に固定され、ネジ２５Ａを少し緩めたときは支持部材２６の位置を長孔３９の長さの範囲内で一定幅上下に動かすことができる。すなわち、支持部材２６の位置を上下させることによりステージ８の上板８Ａの挿通孔２４を通して突出される支持ピン３７の突出量を増減することができる。
具体的には、支持部材２６を最も上側に移動させてネジ２５Ａを長孔３９に締結した場合には、ピン部材３５の支持ピン３７及び受座面３８が挿通孔２４からステージ８の上板８Ａよりも上方へ突出される。この状態において支持ピン３７は、注出口開閉扉６の扉フレーム１３下部に軸受溝３２に挿嵌されており、また、受座面３８は扉フレーム１３の下端を支持している。これにより右側の注出口開閉扉６の下部は支持ピン３７及び受座面３８を介して回動可能に支持される。
【００２７】
また、支持部材２６を最も下側に移動させてネジ２５Ａを長孔３９に締結した場合には、ピン部材３５の支持ピン３７及び受座面３８が挿通孔２４からステージ８の上板８Ａよりも下方へ移動されて上板８Ａからは突出しなくなる。これにより、支持ピン３７及び受座面３８は、注出口開閉扉６の扉フレーム１３の軸受溝３２から外れることとなる。
【００２８】
従って、注出口開閉扉６が回動可能に支持されている状態から注出口開閉扉６を取り外す際には、支持部材２６を最も下側に移動させれば、注出口本体扉６を容易に本体扉３から取り外すことができる。このとき、前記したように、注出口開閉扉６の上部を軸支する軸ピン２３の上部２３Ａの軸径は、支持フレーム１０における軸受溝３２のサイズ（寸法）よりも若干大きく形成されており、また、軸ピン２３の下部２３Ｂの軸径は、上部２３Ａの軸径よりも小さく形成されているので、軸ピン２３は支持フレーム１０側に残存して支持フレーム１０から抜け落ちてしまうことはない。
また、注出口開閉扉６を取り付ける際には、注出口開閉扉６における扉フレーム１３の軸受溝３２に軸ピン２３の下部２３Ｂを挿嵌した状態で、支持部材２６を最も上側に移動させれば、支持部材２６の支持ピン３７を扉フレーム１３の軸受溝３２に挿嵌し、且つ、扉フレーム１３の下端を受座面３８に支持させることができる。これにより、注出口開閉扉６を本体扉３に容易に取り付けることができる。
【００２９】
また、前記したように、受座面３８に扉フレーム１３の下端部が当接され、注出口開閉扉６を受け支える役目をすることで、飲料がこぼれた際に飲料がステージ８内に案内されるようにステージ８の上板８Ａが傾斜されている場合においても、ステージ８の上板８Ａから挿通孔２４を通して突出する受座面３８は常に水平に保たれることとなる。よって、ステージ８が傾斜する構造を有している場合でも、注出口開閉扉６は受座面３８によって水平に支えられた状態で扉の取り付けが可能となる。
【００３０】
以上にて説明したとおり本実施例に係る電解水ディスペンサ１では、扉本体３に固定された支持フレーム１０、１１下部の軸受溝３２に軸ピン２３の上部２３Ａを挿嵌し、且つ、各注出口開閉扉６に固定された扉フレーム１３Ａ、１３Ｂ上部の軸受溝３２に軸ピン２３の下部２３Ｂを挿嵌して各注出口開閉扉６の上側を回動可能に支持したので、極めて簡単な構成により、飲料注出口５に対する各注出口開閉扉６の取り付け及び取り外しを容易に行うことが可能であり、もって製造コストの低減を図ることができる。
また、各支持フレーム１０、１１、１２及び各扉フレーム１３Ａ、１３Ｂは、同一の断面構造に形成したので、１種類のフレーム成形金型で全てのフレームを形成することができ、これより金型費を抑制して製造コストを低減することができる。
また、コーナ支持フレーム１４及び１５は、両端にピン形状の凸部１４Ａ及び１５Ａを設けてフレームの軸受溝３２に差し込んで固定されるので、コーナ支持フレーム単体のネジ固定は不要となる。
更に、ネジ板１６等を支持フレーム１０等のネジ板差し込み溝３１に差し込んだ際に、ネジ板１６等のネジ孔１６Ａ等の周辺に形成した打ち出し部１６Ｂ等をネジ逃がし穴３３に嵌合させるようにしたので、ネジ板１６等が支持フレーム１０等のネジ板差し込み溝３１内で位置決め固定され、これよりディスプレイパネル４の交換時や各注出口開閉扉６の取り付け及び取り外し時にネジ板１６等が支持フレーム１０等から抜け落ちてしまうことを確実に防止することができる。これにより、各支持フレーム１０、１１、１２の本体扉３への取り付け、及び、扉フレーム１３Ａ、１３Ｂの各注出口開閉扉６への取り付けをネジ板１６等に注意を払うことなく容易に行うことができる。
【００３１】
【発明の効果】
以上説明した通り、請求項１に記載の発明によれば、本体扉に設けられた飲料注出口を開閉する注出口開閉扉の上側を回動可能に支持するについて、注出口開閉扉に配設された扉フレーム部材上部における第１係合部とパネル部材を支持するパネル支持部材に含まれる支持フレーム部材下部における第２係合部とを、それぞれ係合することで注出口開閉扉を回動可能に構成したので、極めて簡単な構成により注出口開閉扉を回動可能に支持することができるとともに、注出口開閉扉の支持において他の取り付け部材を必要とせず、これより製造コストの低減を図ることができ、また、装置の見栄えもよくなる。
【００３２】
また、請求項２に記載の発明によれば、本体扉に設けられた飲料注出口を開閉する注出口開閉扉の上側を回動可能に支持するについて、注出口開閉扉に配設された扉フレーム部材における軸受溝の上部とパネル部材を支持するパネル支持部材に含まれる支持フレーム部材における軸受溝の下部とに、それぞれピン部材の下側部分及び上側部分を挿嵌するように構成したので、極めて簡単な構成により注出口開閉扉を回動可能に支持することができるとともに、飲料注出口に対する注出口開閉扉の取り付け及び取り外しを容易に行うことができ、これより製造コストの低減を図ることができる。
【００３３】
また、請求項３に記載の発明によれば、扉フレーム部材の挿通溝に挿通されるネジ板に形成された複数個のネジ孔の内少なくとも１つのネジ孔の周囲に膨出部を形成するとともに、扉フレーム部材の弾性片に膨出部を位置決めし且つネジ孔に螺着される固定ネジの先端を逃がす位置決め逃がし孔を形成したので、扉フレーム部材の挿通溝に挿通されたネジ板が扉フレーム部材から抜け落ちてしまうことを確実に防止することができる。従って、扉フレーム部材を注出口開閉扉に配設するに際して、ネジ板に注意を払うことなく扉フレーム部材を注出口開閉扉に配設することができる。
【００３４】
また、請求項４に記載の発明によれば、支持フレーム部材の挿通溝に挿通されるネジ板に形成された複数個のネジ孔の内少なくとも１つのネジ孔の周囲に膨出部を形成するとともに、支持フレーム部材の弾性片に膨出部を位置決めし且つネジ孔に螺着される固定ネジの先端を逃がす位置決め逃がし孔を形成したので、支持フレーム部材の挿通溝に挿通されたネジ板が支持フレーム部材から抜け落ちてしまうことを確実に防止することができる。従って、支持フレーム部材を本体扉に配設するに際して、ネジ板に注意を払うことなく支持フレーム部材を本体扉に配設することができる。
【図面の簡単な説明】
【図１】実施形態に係る電解水ディスペンサの全体構造を表わした斜視図である。
【図２】実施形態に係る電解水ディスペンサのフレーム部材及びネジ板の全体構成を示す斜視図である。
【図３】実施形態に係る電解水ディスペンサのフレーム部材の断面図である。
【図４】実施形態に係る電解水ディスペンサのネジ板の側面図である。
【図５】実施形態に係る電解水ディスペンサのフレーム部材の取り付け時の断面図である。
【図６】本体扉に対するディスプレイパネル及び注出口開閉扉の取り付け構造を模式的に分解して示す説明図である。
【図７】実施形態に係る電解水ディスペンサの本体扉の全体構成を表わす背面図である。
【図８】実施形態に係る電解水ディスペンサの支持部材の全体構成を示す斜視図である。
【図９】従来の飲料ディスペンサにおける注出口扉構造を模式的に示す説明図である。
【符号の説明】
１………電解水ディスペンサ      ２………本体      ３………本体扉
４………ディスプレイパネル      ５………注出口      ６………注出口開閉扉
７………ハンドル      ８………ステージ      ９………スイッチパネル
１０，１１，１２………支持フレーム      １３Ａ，１３Ｂ………扉フレーム
１４，１５………コーナ支持フレーム
１６，１７，１８，１９………ネジ板      １６Ａ………ネジ孔
１６Ｂ………打ち出し部      ２０………固定ネジ      ２１………押え板
２３………軸ピン      ２４………挿通孔      ２５………支持板
２６………支持部材      ３１………ネジ板差し込み溝      ３２………軸受溝
３３………ネジ逃がし穴      ３４………ディスプレイ取り付け部
３５………ピン部材      ３６………枠板      ３７………支持ピン
３８………受座面      ３９………長孔
【図１】
2004295174.tif 000003
【図２】
2004295174.tif 000004
【図３】
2004295174.tif 000005
【図４】
2004295174.tif 000006
【図５】
2004295174.tif 000007
【図６】
2004295174.tif 000008
【図７】
2004295174.tif 000009
【図８】
2004295174.tif 000010
【図９】
2004295174.tif 000011